(57)【要約】【課題】  収容物の区分を確実に行えると共に、その収容物の大きさや量に適確に応じた収容量の容器を選択でき、更に、それらの容器を多彩なバリエーションに積み重ねることができる重ね合わせ容器を提供せんとする。【解決手段】  正方形の底部２と、立設した四面の周壁３とで収容部４を形成し、上面を開口した器であって、周壁３を肉厚とし、底部外面の端部から周壁の肉厚分内側位置に、正方形の嵌合凸部５を設けた正方形容器１と、縦横の長さが、前記正方形容器１の一辺と縦が同一長で、横が整数倍の長さを有する上面を開口した器であって、周壁３、３３が前記正方形容器の周壁３と同一の肉厚と高さを有し、底部外面に前記正方形の嵌合凸部５、５、５が、前記正方形容器１を長辺方向へ並設した位置に設けられた長方形容器１３とで構成する。これ等の複数の容器を組み合わせ、積層して使用する。【選択図】  図９
2010202251.tif 000002
【特許請求の範囲】
【請求項１】
正方形の底部と、立設した四面の周壁とで収容部を形成し、上面を開口した器であって、周壁を肉厚とし、底部外面の端部から周壁の肉厚分内側位置に、正方形の嵌合凸部を設けた正方形容器と、
縦横の長さが、前記正方形容器の一辺と縦が同一長で、横が整数倍の長さを有する上面を開口した器であって、周壁が前記正方形容器の周壁と同一の肉厚と高さを有し、底部外面に前記正方形の嵌合凸部が、前記正方形容器を長辺方向へ並設した位置に設けられた長方形容器とで構成し、
これ等の複数の容器を組み合わせ、積層して使用することを特徴とする重ね合わせ容器。
【請求項２】
複数の容器で形成した同一平面層を積層して使用することを特徴とする請求項１記載の重ね合わせ容器。
【請求項３】
高さの異なる層が形成され、積層して使用することを特徴とする請求項１又は２記載の重ね合わせ容器。
【請求項４】
複数種類の長方形容器で構成されることを特徴とする請求項１乃至３のいずれかに記載の重ね合わせ容器。
【請求項５】
複数個の正方形容器及び／又は長方形容器で構成されることを特徴とする請求項１乃至４のいずれかに記載の重ね合わせ容器。
【請求項６】
嵌合凸部が、正方形の輪郭線上を枠状に設けられていることを特徴とする請求項１乃至５のいずれかに記載の重ね合わせ容器。
【請求項７】
嵌合凸部が、正方形の角部にのみ形成されていることを特徴とする請求項請求項１乃至５のいずれかに記載の重ね合わせ容器。
【請求項８】
嵌合凸部が、正方形の角部及び各辺上の一部に形成されていることを特徴とする請求項１乃至５のいずれかに記載の重ね合わせ容器。
【発明の詳細な説明】
【技術分野】
【０００１】
本発明は容器に関するものであり、多様な形態の容器を重ね合わせて使用することを目的とし、収容する物は食品や小物や日用品等、収容可能な物品であれば限定されることはなく、包装用や整理用等の広範囲な目的の使用を可能にする容器に関するものである。
【背景技術】
【０００２】
従来の積み重ねて使用をする容器としては、例えば、重箱のように同一の形態の単体容器を単純に重ねて使用するものや、容器の底面外側に段部を形成して、上層の容器がずれて転倒しないようしているものが一般的である。
【０００３】
例えば、特開平１０−１６９７２号は物品収納箱等における積み重ね構造に関し、大きさの異なる箱であっても安定よく積み重ねることが出来るようにするため、収納箱の底面の四隅に凸部を設けると共に、上面の少なくとも両側にそれぞれ上記凸部が嵌入可能な凹部と一定長の凹溝からなる嵌入部を設けたものである。
【先行技術文献】
【特許文献】
【０００４】
【特許文献１】特開平１０−１６９７２号
【特許文献２】特開２００２−１５４５４４号
【発明の概要】
【発明が解決しようとする課題】
【０００５】
従来の容器においては、その形態が決まったもので、例えば平面形状が正方形、長方形或いは正多角形や円形であり、同一形態の容器を積層して使用するものである。
そして、容器内を区分して使用する場合は、容器自体に区分壁を設けたり、或いは、別体の区分枠を装置して収容物を分けて収納しているのである。
【０００６】
そこで、本発明は、収容物の区分を確実に行えると共に、その収容物の大きさや量に適確に応じた収容量の容器を選択でき、更に、それらの容器を多彩なバリエーションに積み重ねることができる重ね合わせ容器を提供せんとするものである。
【課題を解決するための手段】
【０００７】
本願発明の重ね合わせ容器は、正方形の底部と、立設した四面の周壁とで収容部を形成し、上面を開口した器であって、周壁を肉厚とし、底部外面の端部から周壁の肉厚分内側位置に、正方形の嵌合凸部を設けた正方形容器と、縦横の長さが、前記正方形容器の一辺と縦が同一長で、横が整数倍の長さを有する上面を開口した器であって、周壁が前記正方形容器の周壁と同一の肉厚と高さを有し、底部外面に前記正方形の嵌合凸部が、前記正方形容器を長辺方向へ並設した位置に設けられた長方形容器とで構成し、これ等の複数の容器を組み合わせ、積層して使用することを特徴とするものである。
【０００８】
本願発明の容器は、上記の容器において、複数の容器で形成した同一平面層を積層して使用すること、高さの異なる層を積層して使用しても良い。
そして、組み合わせる容器は、複数種類の長方形容器で構成してもよく、又、複数個の正方形容器及び／又は長方形容器で構成してもよい。
【０００９】
さらに、上記の嵌合凸部が、正方形の輪郭線上を枠状に設けられ、又、正方形の角部にのみ形成され、更に、正方形の角部及び各辺上の一部に形成されているものとしてもよい。
【発明の効果】
【００１０】
本願発明の重ね合わせ容器は、正方形の底部と、立設した四面の周壁とで収容部を形成し、上面を開口した器であって、周壁を肉厚とし、底部外面の端部から周壁の肉厚分内側位置に、正方形の嵌合凸部を設けた正方形容器と、縦横の長さが、前記正方形容器の一辺と縦が同一長で、横が整数倍の長さを有する上面を開口した器であって、周壁が前記正方形容器の周壁と同一の肉厚と高さを有し、底部外面に前記正方形の嵌合凸部が、前記正方形容器を長辺方向へ並設した位置に設けられた長方形容器とで構成しているため、重ね合わせた容器の底部外面の正方形の嵌合凸部は、下層の正方形の容器の開口部とは内部の四面に嵌合して上下方向に結合し、確実に安定して積み重ねることができる効果を有する。
【００１１】
又、同様に当該正方形の嵌合凸部は、下層の長方形容器の開口部に対しては、内部の三面或いは対向する長辺の二面に当接して嵌合するため、安定した積み重ねとなる効果を有する。
【００１２】
そして、長方形容器において、正方形の嵌合凸部が正方形容器を長辺方向へ並設した位置に設けられていることは、嵌合凸部同士の間隔が周壁の肉厚の２倍の長さとなるため、当接して並設した正方形容器と長方形容器又は正方形容器同士或いは長方形容器同士の肉厚に相当し、当接する周壁に跨って開口部に、一つの長方形容器の隣り合う二つの嵌合凸部が嵌合して積み重なることとなり、下層の当接し並設した容器を連結固定する効果も発揮するのである。
【００１３】
したがって、下層に並設した容器の縦横何れの方向に対しても、上層の長方形容器で固定して積み重ねて行けるため、多様な大きさの容器を任意に組み合わせて下層となる容器を配置し、安定した状態に固定して上層の容器を積み重ねていくことができ、上層の容器も下層の容器との嵌合で連結固定され、互いに安定した状態の結合を保つことができる効果を発揮するのである。
【００１４】
更に、容器を複数種類の長方形容器や、複数個の正方形容器及び／又は長方形容器で構成して組み合わせて各層を形成すれば、各層の容器の配置の妙も看取され、多様な収容物を適切な容器の大きさに分別し、互いに混ざることなく纏めることが出来る効果も有する。
【００１５】
加えて、各層の高さを任意に設計して組み合わせ積み重ねることにより、外観上も変化に富み、より適切に多様な収容物を容器に分別して収納できる効果を有するのである。
また、包装容器としての使用後は、家庭における任意目的の小物入れ等に利用でき、特に表面処理に模様に高級感を与えると再利用を促進させる効果を有する。
【図面の簡単な説明】
【００１６】
【図１】本発明の正方形容器の一例を示す斜視図である。
【図２】図１の裏面斜視図である。
【図３】本発明の長方形容器の一例を示す斜視図である。
【図４】図３の裏面斜視図である。
【図５】嵌合凸部の他の実施の形態を示す底面図である。
【図６】嵌合凸部の他の実施の形態を示す底面図である。
【図７】嵌合凸部の他の実施の形態を示す底面図である。
【図８】上・下層間を空けた状態で重ね合わせの一実施の形態を示す斜視図である。
【図９】図８の長手方向の縦断正面図である。
【図１０】上・下層間を空けた状態で重ね合わせの他の実施の形態を示す斜視図である。
【図１１】上・下層間を空けた状態で重ね合わせの他の実施の形態を示す斜視図である。
【図１２】上・下層間を空けた状態で重ね合わせの他の実施の形態を示す斜視図である。
【発明を実施するための形態】
【００１７】
本発明を実施するための形態を図面に基づいて説明する。
図１は本発明の正方形容器１の一例を示す斜視図であり、図２は同裏面斜視図である。
正方形の底部２と、立設した四面の周壁３、３、３、３とで収容部４を形成し、上面を開口した器とし、周壁３が肉厚Ｔを有し、平面の輪郭形状や収容部４の内面形状が正方形を成して一合枡や一升枡の様な形態に構成されている。
そして、底部２の外面（底面）の端部から周壁３の肉厚分Ｔの内側位置に、正方形の嵌合凸部５を設けたものである。
【００１８】
底部２や周壁３及び嵌合凸部５を構成する材質は、木製、プラスチック製、発泡樹脂製、厚紙製等の肉厚を有することのできる素材であれば、収納物との関係で任意に選択可能である。
また、薄い素材であっても、内部に空間を設けて内外二層で厚みのある板状体を形成したものも利用できる。
【００１９】
図３は本発明の長方形容器１３の一例を示す斜視図であり、図４は同裏面斜視図である。
長方形容器１３は前記正方形容器１の一辺Ｌと縦が同一長で、横が３倍の長さ３Ｌを有する上面を開口した器であって、周壁３、３３、３、３３が前記正方形容器１の周壁３と同一の厚みＴと高さＨを有し、底部２３の外面（底面）に３つの前記正方形の嵌合凸部５、５、５が、前記正方形容器１を長辺方向へ３個並設した位置に設けられている。
【００２０】
即ち、前記正方形容器１を一直線上に３個当接させて並設し、当接する壁面の仕切りとなる部分を欠除して一空間の収容部４３とした形態であり、三つの正方形の嵌合凸部５、５、５が底部２３の外面（底面）の端部から周壁３、３３の肉厚分Ｔの内側位置に在り、各嵌合凸部５，５間は周壁３、３３の２倍の間隔２Ｔとなっている。
【００２１】
図３及び図４の実施の形態の長方形容器１３では、長辺が正方形容器１の一辺Ｌの３倍（３Ｌ）のものを例示しているけれど、長辺が正方形容器１の一辺Ｌの２倍（２Ｌ）の長方形容器１２や、長辺が正方形容器１の一辺Ｌの４倍（４Ｌ）以上の整数倍（ＮＬ）とした長方形容器１Ｎを形成して組み合わせることも自由である。
【００２２】
嵌合凸部５の突出厚は、大きい程嵌合する内周壁面と接する面積が広く安定した上下・左右結合を期待できるが、その分収納部４、４２、４３・・・の容積が小さくなるから適当な突出厚に設計することとなる。
また、収納部の容積をなるべく大きく確保するため、嵌合凸部の形態を、図５に示すように正方形の輪郭線上を枠状の嵌合凸部５１に設けたり、又、図６に示すように正方形の角部にのみ嵌合凸部５２を形成したり、更に、図７に示すように正方形の角部に嵌合凸部５２及び辺上の一部にも嵌合凸部５３を形成したものとしてもよい。
【００２３】
図８は上・下層間を空けた状態で重ね合わせの一実施の形態を示す斜視図、図９は図８の長手方向の縦断正面図であり、正方形容器１、正方形容器１が２個分の大きさの長方形容器１２、及び正方形容器１が３個分の大きさの長方形容器１３を組み合わせた一例である。
下層に正方形容器１と長方形容器１２を直列に配置し、上層に長方形容器１３を積み重ね、底面の三つの嵌合凸部５、５、５が正方形容器１と長方形容器１２の収納部４、４２の内壁上端近傍と嵌合して一体に結合固定されるものである。
【００２４】
図１０は上・下層間を空けた状態で重ね合わせの他の実施の形態を示す斜視図であり、正方形容器１、正方形容器１が２個分の大きさの長方形容器１２及び正方形容器１が３個分の大きさの長方形容器１３を一組として上・下層を形成して重ね合わせた一例である。
正方形容器１と二つの長方形容器１２、１３の短辺を一直線上に配置して同一平面層とし、互いに９０度回転した状態で上・下層を積み重ねて、上部層の容器の嵌合凸部５、５・・・、と下部層の容器の収納部４、４２、４３の内壁上端近傍とが嵌合して一体に結合固定されるものである。
この様に、全体を角部が直角に形成した六面体でなく、任意の形態に構成することも自由に創作出来るものである。
【００２５】
図１１は上・下層間を空けた状態で重ね合わせの他の実施の形態を示す斜視図であり、正方形容器１、正方形容器１が２個分の大きさの長方形容器１２、及び正方形容器１が３個分の大きさの長方形容器１３を一組として上・下層に分けて重ね合わせた一例である。
中央部に空間６を形成した上・下層及び同一平面層を互いに連結固定できるものである。
【００２６】
図１２は上・下層間を空けた状態で重ね合わせの他の実施の形態を示す斜視図であり、正方形容器１、正方形容器１が２個分の大きさの長方形容器１２、正方形容器１が３個分の大きさの長方形容器を三段に重ね合わせると共に、下層及び中間層の開口部４２、４３の一部を開放した状態に連結固定したものである。
【００２７】
上記図８乃至図１２の重ね合わせの実施の形態を示す例では、各層を構成する各種容器の高さが同一に形成されているけれど、このように限定されるものではない。
少なくとも下層となる層を構成する各容器は同一の高さとすることは条件であるけれど、各層毎に容器の高さを異なるようにしても良く、最上部の層を構成する容器については、互いに異なる高さとすることも可能である。
また、最上部層の容器には全体を被覆する蓋、或いは個別の容器を被覆する蓋を冠着することもできるものである。
【産業上の利用可能性】
【００２８】
多様な形態の容器を重ね合わせて使用することを目的とし、収容する物は食品や小物や日用品等、収容可能な物品であれば限定されることはなく、包装用や整理用等広範囲な目的の使用を可能とする。
【符号の説明】
【００２９】
１    正方形容器
１２、１３            長方形容器
２、２２、２３        底部
３、３２、３３        周壁
４、４２  ４３        収容部
５、５１、５２、５３  嵌合凸部
６                    空間
【図１】
2010202251.tif 000003
【図２】
2010202251.tif 000004
【図３】
2010202251.tif 000005
【図４】
2010202251.tif 000006
【図５】
2010202251.tif 000007
【図６】
2010202251.tif 000008
【図７】
2010202251.tif 000009
【図８】
2010202251.tif 000010
【図９】
2010202251.tif 000011
【図１０】
2010202251.tif 000012
【図１１】
2010202251.tif 000013
【図１２】
2010202251.tif 000014